(57)【要約】【課題】      商品見本の照明装置において、消費電力を抑えることができ、かつ、視覚効果の高い照明装置を提供する。【解決手段】  照明装置は、発光ダイオードなどの発光素子が配置された点灯部と、発光素子の点滅を制御する点灯制御部と、を有しており、点灯部の形状は枠形状となる。この点灯部の前面には、商品パッケージのデザインを模した広告用フィルムが備えられており、この広告用フィルムが、点灯部によって照明される。さらに、点灯部の形状が枠形状となることにより、点灯部の中心部は、照明装置の外部より照射された光に対し、開口することとなる。よって、点灯部の発光素子だけでなく、バックライトなどの外部の光も、点灯部の中心部の開口口を通すことで広告用フィルムの照明として利用することができる。【選択図】図１
2006178863.tif 000002
【特許請求の範囲】
【請求項１】
複数の発光素子が設置される点灯部と、
前記点灯部に電気的に接続され、前記発光素子の点滅を制御する点灯制御部と、を有し、
前記点灯部の形状は、開口部を有する枠形状とされることを特徴とする照明装置。
【請求項２】
前記点灯部及び前記点灯制御部を内部に設置する透明な容器と、
前記容器の一面に設けられ、広告用のデザインが施された表示部と、を有し、
前記表示部は、前記点灯部の複数の発光素子より発射された光が透過することによって照明されることを特徴とする請求項１に記載の照明装置。
【請求項３】
前記表示部は、前記容器の一面に対して着脱可能に構成されていることを特徴とする請求項２に記載の照明装置。
【請求項４】
前記点灯制御部は、前記点灯部に対して着脱可能にされていることを特徴とする請求項１乃至３のいずれか一項に記載の照明装置。
【請求項５】
前記容器の外部に設けられた外部照明装置を有し、
前記表示部は、前記外部照明装置より発射され前記点灯部の開口部を通過した光が透過することによって照明されることを特徴とする請求項２乃至４のいずれか一項に記載の照明装置。
【請求項６】
請求項２に記載の照明装置と、
前記照明装置の背面側に配置されたバックライト装置と、を備え、
前記表示部は、前記バックライト装置より発射され前記点灯部の開口部を通過した光により照明されることを特徴とするディスプレイ装置。
【発明の詳細な説明】
【技術分野】
【０００１】
本発明は、商品見本の照明を効率的に行う照明装置に関する。
【背景技術】
【０００２】
一般に煙草、缶入り飲料等を販売する自動販売機では、複数の商品見本を陳列するにあたり、新製品等のキャンペーン製品については、アイキャッチＰＯＰ等の表示を付加することによって、購買客の注意を引き付けるようにしている。
【０００３】
しかしながら、通常の商品見本も、アイキャッチＰＯＰ等の表示が付加された新商品の商品見本も、自動販売機に備わっている蛍光灯などの照明装置によって、一様に照明されているにすぎず、そのため、このようにアイキャッチＰＯＰ等の表示を特定の商品見本に付加したとしても、当該特定の商品見本を積極的に目立たせるまでには至らなかった。
【０００４】
このような欠点を克服するために、発光素子を用いた商品見本の例が特許文献１に記載されているが、この例は、複数の発光素子のみによって、商品見本全面を照明するものであり、消費電力の観点からすると効率が悪かった。
【０００５】
【特許文献１】特開２００１−２８３３１０号公報
【発明の開示】
【発明が解決しようとする課題】
【０００６】
本発明は上記の点に鑑みてなされたものであり、商品見本の照明装置において、消費電力を抑えることができ、かつ、視覚効果の高い照明装置を提供することを課題とする。
【課題を解決するための手段】
【０００７】
本発明の一つの観点では、照明装置は、複数の発光素子が設置される点灯部と、前記点灯部に電気的に接続され、前記発光素子の点滅を制御する点灯制御部と、を有し、前記点灯部の形状は、開口部を有する枠形状とされる。
【０００８】
上記の照明装置は、発光ダイオードなどの発光素子が配置された点灯部と、点灯部と電気的に接続され、発光素子の点滅を制御する点灯制御部と、を有しており、点灯部の形状は枠形状となる。これにより、点灯部の中心部は、その外部に設置された外部照明装置によって、照明装置に向かって照明された光に対し、開口することとなる。よって、点灯部の形状を枠形状とすることで、点灯部の発光素子だけでなく、照明装置の外部より照射された光も照明として利用することができる。
【０００９】
上記の照明装置の一態様では、前記点灯部及び前記点灯制御部を内部に設置する透明な容器と、前記容器の一面に設けられ、広告用のデザインが施された表示部と、を有し、前記表示部は、前記点灯部の複数の発光素子より発射された光が透過することによって照明される。容器は、材質としては透明なプラスティックなどが好適とされ、商品の形状を模して作製される。また、表示部は、樹脂板などで作製された広告用フィルムであり、商品のパッケージを模して作成される。点灯部の発光素子より発射した光によって、表示部は、その縁の部分が照明され、購買客に対し、その商品を視覚的に強調させることができる。
【００１０】
上記の照明装置の一態様では、前記表示部は、前記容器の一面に対して着脱可能に構成されている。これにより、他の広告したい商品がある場合には、その他の広告したい商品のパッケージのデザインを模した広告用フィルムに替えるだけでよい。
【００１１】
上記の照明装置の一態様では、前記点灯制御部は、前記点灯部に対して着脱可能にされている。これにより、点灯部の発光素子の点滅パターンを変えたい場合に、その点滅パターンがメモリに記憶された点灯制御部に替えるだけでよい。
【００１２】
上記の照明装置の一態様では、前記容器の外部に設けられた外部照明装置を有し、前記表示部は、前記外部照明装置より発射され前記点灯部の開口部を通過した光が透過することによって照明される。自動販売機などのバックライトを外部照明装置として用いることで、商品見本の中心部を照明することができ、発光素子は、商品見本の縁の部分だけ照明するので、全体として消費電力を抑えることができる。
【００１３】
本発明の他の観点では、ディスプレイ装置は、照明装置と、前記照明装置の背面側に配置されたバックライト装置と、を備え、前記表示部は、前記バックライト装置より発射され前記点灯部の開口部を通過した光により照明される。ディスプレイ装置は、例えば、煙草などの自動販売機である。これにより、ディスプレイ装置は、消費電力を抑え、商品を視覚的に強調することができる。
【発明を実施するための最良の形態】
【００１４】
以下、図面を参照して本発明の好適な実施形態について説明する。
【００１５】
（照明装置の構成）
まず、本発明の照明装置について説明する。本発明の照明装置は、煙草の自動販売機などで用いられる商品見本を照明する装置である。以下、商品見本として煙草のパッケージを例に述べていく。
【００１６】
図１は、本発明の照明装置１００の概略構成を示す斜視図である。照明装置１００は、透明な箱型形状の容器１０、容器１０の内部に配置される点灯部２０および点灯制御部３０、容器１０の一面に取付けられる広告用フィルム４０から構成される。
【００１７】
図１（ａ）は、本発明の照明装置１００に用いられる容器１０を示す斜視図である。容器１０は、プラスティックや樹脂などを材料として形成され、図１（ａ）に示すように、上面１０ａ、下面１０ｂ、前面１０ｃ、背面１０ｄ、側面１０ｅ、１０ｆの６面からなる透明な箱型形状の容器である。この容器１０の寸法は、煙草のパッケージと同一の寸法となる。容器１０において、前面１０ｃは、下面１０ｂ、側面１０ｅ、１０ｆと境をなす縁に、スリット１０ｓを有し、上面１０ａには、スリット１０ｓのスリット口１０ｓｅが設けられている。
【００１８】
図１（ｂ）は、本発明の照明装置１００の点灯部２０および点灯制御部３０を示す斜視図である。点灯部２０は、枠形状をなし、容器１０内部に設置される。具体的には、点灯部２０は、容器１０内部の壁面、即ち、容器１０の上面１０ａ、側面１０ｅ、１０ｆに沿って、背面１０ｄ上に設置される。また、点灯部２０は、複数の発光素子２１を有し、複数の発光素子２１は、点灯部２０の枠形状に沿って、配列されている。発光素子２１としては、例えば、発光ダイオードが挙げられる。この発光ダイオードとしては、赤色発光ダイオード、緑色発光ダイオード、青色発光ダイオードのいずれでも良く、また、これらの発光ダイオードを組み合わせて配列しても良い。この点灯部２０の枠形状に沿って配列された発光素子２１の光の出射方向は、容器１０の前面１０ｃに向かう方向となる。
【００１９】
点灯部２０は、ハーネス２２およびハーネス２３を有し、外部の電源および他の照明装置と電気的に接続されている。点灯部２０は、ハーネス２２によって、外部の電源より電流を受け、ハーネス２３によって、他の照明装置へ電流を供給する。よって、複数の照明装置１００を連ねて繋げることで、繋げられた他の照明装置１００すべてに電流を供給することができる。
【００２０】
点灯制御部３０は、容器１０の内部に設置される。具体的には、点灯制御部３０は、容器１０の背面１０ｄ上に設置され、接合部３１において、点灯部２０と電気的に接続されている。点灯制御部３０は、点灯部２０の発光素子２１の点滅駆動制御を行うための回路を有する。なお、点灯制御部３０と点灯部２０は、この接合部３１にて、着脱可能な構成とされる。
【００２１】
容器１０のスリット１０ｓには、広告用フィルム４０が挿入される。挿入される方向は、容器１０の上面１０ａより下面１０ｂに向かう方向Ａである。広告用フィルム４０は、樹脂板などにより形成され、一方の面には、煙草のパッケージの表面を模したデザインが施されている。広告用フィルム４０は、デザインが施されている面を容器１０の外側へ向け、デザインが施されていない面を容器１０の内側に向けて、容器１０のスリット口１０ｓｅより挿入される。この広告用フィルム４０は、光が透過可能な薄さで形成されている。よって、広告用フィルム４０のデザインが施されていない面に向かって発光素子２１より光が照射されると、光は、広告用フィルム４０を透過する。これにより、広告用フィルム４０に施されたデザインは照明される。広告用フィルム４０は、スリット１０ｓより着脱可能とされるので、他の煙草を広告したい場合には、その広告したい他の煙草のパッケージを模した広告用フィルムに替えるだけでよい。
【００２２】
図１（ｃ）は、本発明の照明装置１００の広告用フィルムが挿入されたときの斜視図である。後述する電源（図６参照）は、点灯制御部３０および点灯部２０に対して、ハーネス２２より電流を供給する。電源から電流が供給されることにより、点灯部２０の発光素子２１は点灯し、点灯制御部３０は発光素子２１の点滅を制御する。発光素子２１より発した光は、広告用フィルム４０に入射する。よって、広告用フィルム４０に施されたデザインは、発光素子２１によって照明されると共に、その発光素子２１の点滅によって視覚的に強調される。
【００２３】
次に図２を参照して、照明装置１００による照明効果について具体的に述べていく。図２は、本発明の照明装置１００の投影図である。図２（ａ）は、本発明の照明装置１００の正面図であり、図２（ｂ）は、本発明の照明装置１００の上面図であり、図３（ｃ）は、本発明の照明装置１００の側面図である。
【００２４】
図２（ａ）が示すように、広告用フィルム４０において、発光素子２１によって照明される範囲は、点灯部２０の発光素子２１が存在する範囲、即ち、破線Ｌａで示した範囲である。よって、広告用フィルム４０は、その破線Ｌａで示した縁の部分のみが、発光素子２１によって照明される。一方、広告用フィルム４０の中心部、即ち、破線Ｌｂで示した範囲は、発光素子２１によって照明されるのではなく、容器１０の外部より照射された光によるいわゆるバックライト効果によって、照明される。
【００２５】
図２（ｂ）および（ｃ）が示すように、本発明の照明装置１００では、容器１０の背面１０ｄに光を照射するための外部照明装置５０が、容器１０の外部に設置される。容器１０は、透明なプラスティックなどにより形成されているので、外部照明装置５０より照射された光Ｌは、容器１０の背面１０ｄを透過することができる。また、点灯部２０の形状は枠形状をなしているので、先に述べた破線Ｌｂで示す中心部は、外部照明装置５０より照射された光Ｌに対し、開口している。よって、容器１０の背面１０ｄを透過した光Ｌは、点灯部２０によって遮られることなく、容器１０の前面１０ｃを透過し、さらに広告用フィルム４０を透過することができる。よって、外部照明装置５０により、破線Ｌｂで示した広告用フィルム４０の中心部が照明される。
【００２６】
煙草の自動販売機では、通常、商品見本を照明するための照明装置として蛍光灯などのバックライトが付いている。よって、本発明の照明装置１００では、広告用フィルム４０の中心部は、外部照明装置５０として自動販売機のバックライトを用いることにより照明される。言い換えれば、広告用フィルム４０の煙草の銘柄等がデザインされている中心部は、自動販売機のバックライトの光を透過することにより照明され、広告用フィルム４０の縁の部分は、点灯部２０の発光素子２１の光を透過することで照明される。即ち、店頭部２０の発光素子２１の光は、広告用フィルム４０の縁を照明して彩ることで、購買客の視覚に訴え、購買意欲を喚起する。通常の煙草の商品見本の照明装置では、容器の背面全面にも発光素子を配置して、その背面全面に配置された発光素子を用いて照らすことで表示しているのに対し、本発明の照明装置１００では、自動販売機に元々、備わっているバックライトも利用することで、発光素子の使用は最小限に抑えることができる。よって、通常の煙草などの照明装置と比較して、消費電力を節約することができる。
（回路構成）
次に、本発明の照明装置１００の回路構成について述べる。図３は、本発明の照明装置１００の回路構成を示した模式図である。
【００２７】
図３が示すように、電流Ｉａが、電源６０よりハーネス２２を通じて、点灯部２０に供給される。点灯部２０に供給された電流Ｉａは、接合部３１を通じて、電流Ｉｃとして点灯制御部３０に供給される。もし、他の照明装置が、ハーネス２３を通じて接続されているのであれば、電流Ｉａは、電流Ｉｂとしてハーネス２３を通じて他の照明装置にも送られる。
【００２８】
電流Ｉｃの供給を受けた点灯制御部３０は、発光素子２１に電流Ｉｄを送ることにより、発光素子２１を点灯する。点灯制御部３０は、電流Ｉｄを制御することにより、配列された発光素子２１を順番に交互に点滅させるなどの点滅制御も行う。この点灯制御部３０は、ＣＰＵ３２とメモリ３３を有し、回路の大きさをなるべく小さくするために、例えばＰＩＣ（Peripheral Interface Controller：周辺機器接続制御用ＩＣ）などのマイコンを用いて構成される。メモリ３３は、ＲＯＭ(Read Only Memory)などであり、点灯部２０における発光素子２１の点滅パターンをＣＰＵ３２に指示するプログラムを記憶している。ＣＰＵ３２は、このメモリ３３に記憶されたプログラムの点滅パターンに従い、電流Ｉｄを制御することで、発光素子２１の点滅制御を行う。なお、本実施形態では、発光素子２１は、常に点灯している。但し、その代わりに、例えば、自動販売機において、コイン口と連動したスイッチを点灯制御部３０に設け、通常は発光素子２１を消灯しておき、利用者がコインをコイン口に挿入したときに発光素子２１が点灯するように構成しても良い。または、光センサを点灯制御部３０に設け、通常は発光素子２１を消灯しておき、購買客が照明装置１００の前に来たときに、発光素子２１が点灯するように構成しても良い。
【００２９】
点灯部２０と点灯制御部３０とは、接合部３１を境にして切り離すことが可能とされる。これにより、発光素子２１の点滅パターンを変えたい場合、点灯制御部３０を、新しい点滅パターンがメモリにプログラムされた他の点灯制御部に取り替えるだけで、点滅パターンを容易に変えることができる。
【００３０】
図４は、照明装置１００の点灯制御部の配置の他の一例である。本実施形態では、照明装置１００の点灯制御部３０は、容器１０の背面１０ｄ上に設置されるとしたが、これに限らず、図４に示すように、下面１０ｂ上に設置してもよい。このようにすることで、点灯部２０を下面１０ｂに向かって延長することができ、それに伴い、発光素子２１の数も下面１０ｂに向かって増やすことができる。これにより、広告用フィルム４０も下面１０ｂに近い部分を発光素子２１で照明することができるので、例えば、煙草のパッケージの下部に付記される値段やスローガンなどの表示も強調することができる。
【００３１】
本実施形態では、自動販売機の商品見本の表示の例について述べたが、これに限るものではなく、店頭販売における展示ケースにも本発明の照明装置を用いることができるのは言うまでもない。
（第１変形例）
次に本発明の照明装置１００を用いた変形例について述べていく。図５は、本発明の第１変形例に係る照明装置２００の投影図である。図５（ａ）は、第１変形例に係る照明装置２００の正面図であり、図５（ｂ）は、第１変形例に係る照明装置２００の上面図であり、図５（ｃ）は、第１変形例に係る照明装置２００の側面図である。この第１変形例に係る照明装置２００は、複数分の広告用フィルムを照明するものである。図５に示すように、この第１変形例では、一枚の広告用フィルム４０ａに、煙草のパッケージ２つ分のデザインを並べて模している。図５に示すように、容器１０、点灯部２０、点灯制御部３０は、広告用フィルム４０ａの大きさに合わせて、それぞれ煙草のパッケージ２つ分の幅を有する。この場合、点灯部２０の発光素子２１による照明範囲は、広告用フィルム４０ａの縁である範囲Ｌａ１であり、外部照明装置５０による照明範囲は、広告用フィルム４０ａの中心部である範囲Ｌｂ１である。例えば、販売キャンペーンを行うときには、自動販売機では、キャンペーンの対象となる銘柄の煙草を並べて展示することが多い。よって、第１変形例に係る照明装置２００では、複数の同じ銘柄の煙草のパッケージのデザインを並べて模した広告用フィルムを用いることで、これらの煙草のパッケージのデザインをまとめて発光素子２１の点滅により視覚的に強調することができる。
（第２変形例）
図６は、本発明の第２変形例に係る照明装置３００の斜視図である。本発明の照明装置は、煙草の展示用パッケージの照明装置に限られるものではなく、飲料の展示用パッケージの照明装置としても用いることができる。具体的には、図６に示すように、照明したい飲料の缶、ペットボトルなどの形状を模した容器７０を作製し、作製した容器７０の内部に、点灯部２０および点灯制御部３０を設置する。容器７０は、材料として透明なプラスティックまたは樹脂などが好適である。さらに、容器７０の表面には、照明したい飲料の缶やペットボトルなどの容器の表面のデザインが施される。図６では、容器７０は、半円筒形状とし、平面７０ｂに、点灯部２０および点灯制御部３０を設置し、曲面７０ａに容器の表面のデザインを施すこととしている。つまり、購買客に展示する部分は、飲料缶を模した形状となる容器７０の曲面７０ａの部分である。点灯部２０の発光素子２１より発した光は、曲面部７０ａを透過することによって、曲面部７０ａを照明し、曲面部７０ａに施された飲料のデザインを強調する。このように、煙草の商品見本だけでなく、缶やペットボトルなどの飲料の商品見本についても、本発明の照明装置を用いることができる。
【図面の簡単な説明】
【００３２】
【図１】本発明の照明装置を示す斜視図である。
【図２】本発明の照明装置を示す投影図である。
【図３】本発明の照明装置の回路構成を示すブロック図である。
【図４】本発明の照明装置を示す斜視図である。
【図５】本発明の第１変形例に係る照明装置の投影図である。
【図６】本発明の第２変形例に係る照明装置の斜視図である。
【符号の説明】
【００３３】
１０  容器、  ２０  点灯部、  ２１  発光素子、  ２２、２３  ハーネス、  ３０  点灯制御部、  ３１  接合部
【図１】
2006178863.tif 000003
【図２】
2006178863.tif 000004
【図３】
2006178863.tif 000005
【図４】
2006178863.tif 000006
【図５】
2006178863.tif 000007
【図６】
2006178863.tif 000008